(57)【要約】【課題】騒音の発生を抑えることができ、外観サイズを小さくすることができるようにした電磁開閉装置を提供する。【解決手段】本発明の一実施形態による電磁開閉装置２００は、ハウジング１１４と、ハウジング１１４に配置される固定接点２１１と、固定接点２１１に接離可能に配置される可動接点１１２と、ハウジング１１４の一側に配置され、可動接点１１２を駆動する駆動部１２０とを含み、固定接点２１１は、可動接点１１２の移動方向に対して垂直方向に配置される。【選択図】図１
2012089485.tif 000002
【特許請求の範囲】
【請求項１】
ハウジングと、
前記ハウジングに配置される固定接点と、
前記固定接点に接離可能に配置される可動接点と、
前記ハウジングの一側に配置され、前記可動接点を駆動する駆動部とを含み、
前記固定接点は、前記可動接点の移動方向に対して垂直方向に配置されることを特徴とする電磁開閉装置。
【請求項２】
前記固定接点は、前記ハウジングの１つの側壁に互いに離隔して配置されるか、又は前記ハウジングの２つの側壁に互いに離隔して配置されることを特徴とする請求項１に記載の電磁開閉装置。
【請求項３】
前記固定接点は、
前記ハウジングの内部に配置される接点部と、
前記接点部の一側に延びて前記ハウジングの外部に配置される連結部と
を含むことを特徴とする請求項２に記載の電磁開閉装置。
【請求項４】
前記連結部は、前記駆動部から遠ざかる方向に折り曲げられることを特徴とする請求項３に記載の電磁開閉装置。
【請求項５】
前記連結部は、前記駆動部に近づく方向に折り曲げられることを特徴とする請求項３に記載の電磁開閉装置。
【請求項６】
前記連結部は、前記駆動部に近づく方向に折り曲げられ、さらに前記接点部と平行に外側に延びることを特徴とする請求項３に記載の電磁開閉装置。
【請求項７】
前記ハウジングの内部には、絶縁性ガスが充填されることを特徴とする請求項１に記載の電磁開閉装置。
【請求項８】
前記可動接点は、前記固定接点に比べて、前記駆動部から遠い位置に配置されることを特徴とする請求項１〜７のいずれか一項に記載の電磁開閉装置。
【請求項９】
前記駆動部は、
磁気力を発生させるコイルと、
前記コイルの内側に配置される固定コアと、
前記固定コアに接離可能に配置される可動コアと、
一側は前記可動コアに連結されて他側は前記可動接点に連結される作用ロッドと、
前記可動コアが前記固定コアから離隔するように付勢力を与えるばねとを備え、
前記可動接点は、前記コイルの電源遮断時、前記ばねの付勢力により、前記固定接点に接触することを特徴とする請求項８に記載の電磁開閉装置。
【請求項１０】
前記可動接点は、前記固定接点に比べて、前記駆動部に近い位置に配置されることを特徴とする請求項１〜７のいずれか一項に記載の電磁開閉装置。
【請求項１１】
前記駆動部は、
磁気力を発生させるコイルと、
前記コイルの内側に配置される固定コアと、
前記固定コアに接離可能に配置される可動コアと、
一側は前記可動コアに連結されて他側は前記可動接点に連結される作用ロッドと、
前記可動コアが前記固定コアから離隔するように付勢力を与えるばねとを備え、
前記可動接点は、前記コイルの電源供給時、前記固定接点に接触することを特徴とする請求項１０に記載の電磁開閉装置。
【発明の詳細な説明】
【技術分野】
【０００１】
本発明は、電磁開閉装置に関し、特に、騒音の発生を抑えることができ、外観サイズを小さくすることができるようにした電磁開閉装置に関する。
【背景技術】
【０００２】
周知のように、電磁開閉装置は、電流を供給又は停止するための電気的な接点開閉装置の一種である。
【０００３】
電磁開閉装置は、各種産業用設備、機械や車両などに用いられる。
【０００４】
通常、電磁開閉装置は、固定接点及び可動接点と、前記可動接点を駆動する電気アクチュエータとを備えて構成される。
【０００５】
図９は従来の電磁開閉装置の断面図である。
【０００６】
図９に示すように、電磁開閉装置１００は、消弧部１１０と駆動部１２０とを備える。
【０００７】
消弧部１１０は、固定接点１１１と可動接点１１２とを備える。
【０００８】
固定接点１１１及び可動接点１１２の外側には、ハウジング１１４が備えられる。
【０００９】
駆動部１２０は、コイル１２１と、互いに接離可能に配置される固定コア１２２及び可動コア１２３とを備える。
【００１０】
コイル１２１は、電源供給により磁気力を発生させる。
【００１１】
コイル１２１の内部には、固定コア１２２及び可動コア１２３が配置される。可動コア１２３には、作用ロッド１２５の一端部が結合される。作用ロッド１２５の他端部は、固定コア１２２を貫通して可動接点１１２に連結される。固定コア１２２の中央には、作用ロッド１２５が貫通できるように、貫通孔１２４が設けられる。作用ロッド１２５には、可動接点１１２が所定の接圧力で固定接点１１１に接触できるように、接圧ばね１１３が備えられる。
【００１２】
コイル１２１の周辺には、固定コア１２２及び可動コア１２３と共に磁路を形成するヨークプレート１２７及びヨーク本体１２８が備えられる。
【００１３】
固定コア１２２と可動コア１２３との間には、ばね１２６が備えられる。これにより、可動コア１２３が固定コア１２２から離隔することができる。
【００１４】
以下、従来の電磁開閉装置１００の動作を簡単に説明する。
【００１５】
コイル１２１に電源が供給されると、コイル１２１は磁気力を発生させ、可動コア１２３は固定コア１２２に近づく方向に移動する。可動コア１２３の移動と同時に作用ロッド１２５が移動し、可動接点１１２が固定接点１１１に接触する。作用ロッド１２５は、可動接点１１２が固定接点１１１に接触した後も、同一方向に移動し続ける。作用ロッド１２５の移動により接圧ばね１１３が圧縮され、可動接点１１２が所定の接圧力で固定接点１１１に接触するように付勢する。これにより、可動接点１１２と固定接点１１１との接触状態が安定に維持される。
【００１６】
一方、コイル１２１への電源供給が停止されると、磁気力が発生しなくなり、可動コア１２３はばね１２６の付勢力により固定コア１２２から離隔する。これにより、可動接点１１２が固定接点１１１から分離される。
【発明の概要】
【発明が解決しようとする課題】
【００１７】
しかし、このような従来の電磁開閉装置においては、固定接点１１１が可動接点１１２の移動方向に沿ってハウジング１１４に結合されており、一方向、例えば可動接点１１２の移動方向の外観サイズ（又は、ハウジング１１４の高さ）が増加する。
【００１８】
また、固定接点１１１が可動接点１１２の移動方向に沿ってハウジング１１４に結合されており、可動接点１１２が固定接点１１１に繰り返し接触（衝撃接触）した場合、固定接点１１１の遊びが生じたり、固定接点１１１がハウジング１１４から分離されるなど、寿命が短くなることがある。
【００１９】
本発明は、このような問題を解決するためになされたもので、外観サイズを小さくすることができる電磁開閉装置を提供することを目的とする。
【００２０】
また、本発明は、部品の遊びの発生を抑制することができ、寿命を延長することができる電磁開閉装置を提供することを他の目的とする。
【課題を解決するための手段】
【００２１】
上記目的を達成するために、本発明は、ハウジングと、前記ハウジングに配置される固定接点と、前記固定接点に接離可能に配置される可動接点と、前記ハウジングの一側に配置され、前記可動接点を駆動する駆動部とを含み、前記固定接点は、前記可動接点の移動方向に対して垂直方向に配置されることを特徴とする電磁開閉装置を提供する。
【００２２】
前記固定接点は、前記ハウジングの１つの側壁に互いに離隔して配置されるか、又は前記ハウジングの２つの側壁に互いに離隔して配置されるように構成してもよい。
【００２３】
前記固定接点は、前記ハウジングの内部に配置される接点部と、前記接点部の一側に延びて前記ハウジングの外部に配置される連結部とを含んでもよい。
【００２４】
前記連結部は、前記駆動部から遠ざかる方向に折り曲げられるように構成してもよい。
【００２５】
前記連結部は、前記駆動部に近づく方向に折り曲げられるように構成してもよい。
【００２６】
前記連結部は、前記駆動部に近づく方向に折り曲げられ、さらに前記接点部と平行に外側に延びるように構成してもよい。
【００２７】
前記ハウジングの内部に絶縁性ガスが充填されるように構成してもよい。
【００２８】
前記可動接点は、前記固定接点に比べて、前記駆動部から遠い位置に配置されるように構成してもよい。
【００２９】
前記駆動部は、磁気力を発生させるコイルと、前記コイルの内側に配置される固定コアと、前記固定コアに接離可能に配置される可動コアと、一側は前記可動コアに連結されて他側は前記可動接点に連結される作用ロッドと、前記可動コアが前記固定コアから離隔するように付勢力を与えるばねとを備え、前記可動接点は、前記コイルの電源遮断時、前記ばねの付勢力により、前記固定接点に接触するように構成してもよい。
【００３０】
前記可動接点は、前記固定接点に比べて、前記駆動部に近い位置に配置されるように構成してもよい。
【００３１】
前記駆動部は、磁気力を発生させるコイルと、前記コイルの内側に配置される固定コアと、前記固定コアに接離可能に配置される可動コアと、一側は前記可動コアに連結されて他側は前記可動接点に連結される作用ロッドと、前記可動コアが前記固定コアから離隔するように付勢力を与えるばねとを備え、前記可動接点は、前記コイルの電源供給時、前記固定接点に接触するように構成してもよい。
【発明の効果】
【００３２】
本発明の電磁開閉装置によれば、固定接点を可動接点の移動方向に対して垂直方向に配置することにより、外観サイズを小さくすることができる。
【００３３】
また、固定接点を可動接点の移動方向に対して垂直方向に沿ってハウジングに結合することにより、固定接点とハウジングとの間に遊びが生じることを抑制することができる。さらに、固定接点がハウジングから分離されることを防止することができる。
【００３４】
また、可動接点が固定接点の側方から接触することにより、固定接点と可動接点との接触時の衝撃騒音を緩和することができる。
【図面の簡単な説明】
【００３５】
【図１】本発明の一実施形態による電磁開閉装置の断面図である。
【図２】図１の作用を説明するための図である。
【図３】図１のIV−IV線断面図である。
【図４】図３の固定接点の変形例を示す図である。
【図５】本発明の他の実施形態による電磁開閉装置の断面図である。
【図６】図５の作用を説明するための図である。
【図７】本発明のさらに他の実施形態による電磁開閉装置の断面図である。
【図８】図７の作用を説明するための図である。
【図９】従来の電磁開閉装置の断面図である。
【発明を実施するための形態】
【００３６】
以下、添付図面を参照して本発明の実施形態を詳細に説明する。
【００３７】
説明の便宜上、前述及び図示した構成と同一又は相当部分には同一符号を付す。
【００３８】
図１及び図２に示すように、本発明の一実施形態による電磁開閉装置２００は、ハウジング１１４と、ハウジング１１４に配置される固定接点２１１と、固定接点２１１に接離可能に配置される可動接点１１２と、ハウジング１１４の一側に配置され、可動接点１１２を駆動する駆動部１２０とを含んでもよい。
【００３９】
ハウジング１１４は、内部に収容空間が形成される。
【００４０】
ハウジング１１４は、例えば直方体状に形成されてもよい。
【００４１】
ハウジング１１４の内部には、固定接点２１１と可動接点１１２とが接離可能に配置されてもよい。
【００４２】
ハウジング１１４の内部には、絶縁性ガス（図示せず）が充填されてもよい。これにより、固定接点２１１と可動接点１１２との間に発生するアークを迅速に消弧することができる。
【００４３】
ハウジング１１４の一側（図の下方）には、駆動部１２０が備えられてもよい。
【００４４】
ハウジング１１４には、固定接点２１１が備えられてもよい。
【００４５】
固定接点２１１は、互いに離隔して配置されるように、複数で構成してもよい。本実施形態においては、固定接点２１１が１対で構成された場合を例示している。
【００４６】
ハウジング１１４の内部には、可動接点１１２が固定接点２１１に接離可能に配置されてもよい。
【００４７】
固定接点２１１は、可動接点１１２の移動方向に対して垂直方向に配置されてもよい。
【００４８】
例えば、固定接点２１１は、ハウジング１１４の側面部に結合されてもよい。
【００４９】
ハウジング１１４には、固定接点２１１を結合できるように、固定接点結合部１１６が形成されてもよい。ここで、固定接点２１１とハウジング１１４とは、インサート射出成形法で一体に結合（成形）してもよく、別々に形成して組み立ててもよい。
【００５０】
より具体的には、可動接点１１２は、ハウジング１１４の上下方向に移動可能に配置され、固定接点２１１は、可動接点１１２の移動方向に対して垂直方向である、ハウジング１１４の左右方向（水平方向）に配置されてもよい。本実施形態の電磁開閉装置２００は、固定接点２１１が可動接点１１２の移動方向に対して垂直方向に配置されることにより、可動接点１１２の移動方向の外観サイズ（図におけるハウジング１１４の高さ）を小さくすることができる。また、固定接点２１１が可動接点１１２の移動方向に対して垂直方向に沿ってハウジング１１４に結合又は配置されることにより、可動接点１１２と固定接点２１１とが繰り返し接触しても、固定接点２１１とハウジング１１４との間に遊びが生じることを抑制することができ、固定接点２１１がハウジング１１４から分離される恐れがない。
【００５１】
また、可動接点１１２の接触時、固定接点２１１に弾性変形（作用）が発生することにより、衝撃力が緩和される。従って、可動接点１１２の接触時の衝撃騒音が減少する。
【００５２】
固定接点２１１は、図３に示すように、ハウジング１１４の対向する両側面部にそれぞれ備えられてもよい。また、固定接点２１１は、図４に示すように、ハウジング１１４の一側面部に互いに所定距離離隔して配置されるように備えられてもよい。図示していないが、固定接点２１１の一側には、後述する駆動部１２０のコイルに電源を供給するためのコイル端子が備えられてもよい。
【００５３】
固定接点２１１は、ハウジング１１４の内部に配置される接点部２１３と、接点部２１３から延びてハウジング１１４の外部に配置される連結部２１５とを備えてもよい。固定接点２１１のいずれか一方には電源が接続され、固定接点２１１の他方には負荷が接続されるようにしてもよい。
【００５４】
本実施形態の固定接点２１１は、可動接点１１２の移動方向のサイズを増加させることなく、固定接点２１１の接点部２１３を長くすることができる。これにより、可動接点１１２との接触時に発生した固定接点２１１の振動がハウジング１１４の外部に伝達されることを抑制することができる。
【００５５】
連結部２１５は、駆動部１２０から遠ざかる方向（例えば、図の上方）に折り曲げられるように形成されてもよい。
【００５６】
可動接点１１２は、棒状に形成されてもよい。
【００５７】
可動接点１１２は、両端部が固定接点２１１の接点部２１３にそれぞれ接触できるように、固定接点２１１の一側に配置されてもよい。例えば、可動接点１１２は、固定接点２１１に比べて、駆動部１２０から遠い位置に配置されてもよい。本実施形態においては、可動接点１１２が図における固定接点２１１の上方に配置された場合を例示している。
【００５８】
一方、駆動部１２０は、電気力により駆動される電気アクチュエータで構成してもよい。
【００５９】
より具体的には、駆動部１２０は、磁気力を発生させるコイル１２１と、コイル１２１の内側に配置される固定コア１２２と、固定コア１２２に接離可能に配置される可動コア１２３と、一側は可動コア１２３に連結されて他側は可動接点１１２に連結される作用ロッド１２５と、可動コア１２３が固定コア１２２から離隔するように付勢力を与えるばね１２６とを備えて構成してもよい。
【００６０】
コイル１２１は、ボビン１３０の周囲に巻回されてもよい。
【００６１】
ボビン１３０は、円筒状に形成されてもよい。
【００６２】
ボビン１３０の内部には、固定コア１２２が配置されてもよい。
【００６３】
固定コア１２２の一端部（図における上端部）は、ボビン１３０の外部に突出するようにしてもよい。
【００６４】
固定コア１２２の一端部には、固定コア１２２と磁路を形成するヨークプレート１２７が結合されてもよい。
【００６５】
ヨークプレート１２７には、磁路を形成するヨーク本体１２８が結合されてもよい。ヨーク本体１２８は、略円筒状に形成されてもよい。
【００６６】
ボビン１３０の内部には、可動コア１２３が固定コア１２２に接離可能に備えられてもよい。可動コア１２３は、ヨークプレート１２７、ヨーク本体１２８、固定コア１２２と共に磁路を形成することができる。
【００６７】
可動コア１２３には、作用ロッド１２５の一端部が挿入結合されてもよい。作用ロッド１２５の他端部は、固定コア１２２を貫通して可動接点１１２に接続されてもよい。固定コア１２２の軸心には、作用ロッド１２５が挿入される貫通孔１２４が貫通形成されてもよい。
【００６８】
可動接点１１２の一側には、可動接点１１２を所定の接圧力で固定接点２１１に接触させる接圧ばね２２１が備えられてもよい。接圧ばね２２１は、圧縮コイルばねで実現してもよい。
【００６９】
一方、固定コア１２２と可動コア１２３との間には、ばね１２６が備えられてもよい。
【００７０】
ばね１２６は、可動コア１２３の移動方向に沿って伸縮可能である。ばね１２６は、圧縮コイルばねで実現してもよい。ここで、ばね１２６は、接圧ばね２２１の付勢力より大きな付勢力を有するように構成してもよい。これにより、コイル１２１の電源遮断時、ばね１２６の付勢力により、接圧ばね２２１を圧縮することができるだけでなく、可動接点１１２が所定の接圧力で固定接点２１１に接触した状態を安定に維持することができる。
【００７１】
固定コア１２２及び可動コア１２３の外側には、缶１２９が備えられてもよい。缶１２９は、内部と外部が密封されるように構成してもよい。
【００７２】
このような構成により、駆動部１２０のコイル１２１に電源が供給されると、可動コア１２３は磁気抵抗が小さくなる方向に移動して、固定コア１２２に近づく。これにより、可動接点１１２が固定接点２１１から分離される。これにより、負荷が電源から分離される。
【００７３】
一方、コイル１２１への電源供給が停止されると、前記圧縮されたばね１２６の付勢力により、可動コア１２３が固定コア１２２から迅速に離隔する。可動コア１２３の移動と同時に作用ロッド１２５が移動し、可動接点１１２が固定接点２１１に接触する。これにより、負荷が電源に接続される。
【００７４】
作用ロッド１２５が移動し続けると、接圧ばね２２１は、所定の圧縮がなされ、可動接点１１２が固定接点２１１側に移動するように付勢力を与えることができる。これにより、可動接点１１２と固定接点２１１とが所定の接圧力で接触状態を安定に維持することができる。
【００７５】
以下、図５及び図６を参照して本発明の他の実施形態による電磁開閉装置について説明する。説明の便宜上、前述及び図示した構成と同一又は相当部分には同一符号を付し、一部重複する構成についての詳細な説明は省略する。
【００７６】
図５及び図６に示すように、本発明の他の実施形態による電磁開閉装置４００は、ハウジング１１４と、ハウジング１１４に配置される固定接点４１１と、固定接点４１１に接離可能に配置される可動接点１１２と、ハウジング１１４の一側に配置され、可動接点１１２を駆動する駆動部１２０とを含んでもよい。
【００７７】
ハウジング１１４は、内部に収容空間が形成されるように、略直方体状に構成してもよい。
【００７８】
ハウジング１１４の側面部には、固定接点４１１が備えられてもよい。固定接点４１１は、ハウジング１１４の対向する両側面部にそれぞれ結合されてもよい。これにより、固定接点４１１が図におけるハウジング１１４の高さ方向に突出することを防止し、可動接点１１２の移動方向の外観サイズ（図におけるハウジング１１４の高さ）を小さくすることができる。また、固定接点４１１が可動接点１１２の移動方向に対して垂直方向に配置されることにより、固定接点４１１とハウジング１１４との間に遊びが生じることを抑制することができる。さらに、可動接点１１２との繰り返し接触時に作用する衝撃力により固定接点４１１がハウジング１１４から分離されることを防止することができる。
【００７９】
固定接点４１１は、可動接点１１２の移動方向に対して垂直方向に配置されてもよい。より具体的には、固定接点４１１は、ハウジング１１４の側方からそれぞれ挿入結合されてもよい。ハウジング１１４の側面部には、固定接点４１１を挿入できるように、結合孔がそれぞれ貫通形成されてもよい。
【００８０】
固定接点４１１は、ハウジング１１４の内部に配置される接点部４１３と、接点部４１３から延びてハウジング１１４の外部に配置される連結部４１５とを備えてもよい。ここで、接点部４１３は、可動接点１１２の移動方向に対して垂直方向に配置されてもよい。すなわち、接点部４１３は、可動接点１１２がハウジング１１４の上下方向に移動する場合、ハウジング１１４の左右方向（又は、水平方向）に配置されてもよい。
【００８１】
連結部４１５は、駆動部１２０側に折り曲げられるように構成してもよい。本実施形態においては、連結部４１５が図の下方に折り曲げられるように構成された場合を例示している。
【００８２】
ハウジング１１４の内部には、可動接点１１２が固定接点４１１に接離可能に配置されてもよい。
【００８３】
可動接点１１２は、固定接点４１１に比べて、駆動部１２０に近い位置に配置されてもよい。
【００８４】
駆動部１２０は、コイル１２１、ヨークプレート１２７、固定コア１２２、可動コア１２３、作用ロッド１２５、及びばね１２６を備えて構成してもよい。
【００８５】
ここで、駆動部１２０は、コイル１２１への電源供給時、可動接点１１２が固定接点４１１に接触するように、可動接点１１２を駆動する。
【００８６】
より具体的には、コイル１２１への電源遮断時、可動コア１２３は、ばね１２６の付勢力により固定コア１２２から離隔し、作用ロッド１２５は、可動接点１１２が固定接点４１１から分離されて所定距離離隔できる程度の長さを有するように構成してもよい。
【００８７】
作用ロッド１２５には、可動接点１１２を固定接点４１１側に付勢する接圧ばね２２３が備えられてもよい。これにより、可動接点１１２と固定接点４１１との接触時、可動接点１１２が所定の接圧力で固定接点４１１に接触することにより、接触状態を安定に維持することができる。
【００８８】
例えば、接圧ばね２２３は、可動接点１１２の一側、より具体的には、可動接点１１２の下側（駆動部１２０側）に配置されてもよい。
【００８９】
接圧ばね２２３は、可動接点１１２が固定接点４１１に接触した後、可動接点１１２を固定接点４１１側に付勢することにより、可動接点１１２が所定の付勢力で固定接点４１１に弾性接触するようにする。
【００９０】
このような構成により、コイル１２１に電源が供給されると、可動コア１２３は固定コア１２２側に移動する。可動コア１２３の移動と同時に可動接点１１２が移動し、可動接点１１２が固定接点４１１に接触する。これにより、負荷が電源に接続される。
【００９１】
一方、コイル１２１への電源供給が停止されると、前記圧縮されたばね１２６の付勢力により、可動コア１２３が固定コア１２２から離隔する。これにより、可動接点１１２が固定接点４１１から分離される。
【００９２】
以下、図７及び図８を参照して本発明のさらに他の実施形態による電磁開閉装置について説明する。
【００９３】
図７及び図８に示すように、本発明のさらに他の実施形態による電磁開閉装置６００は、ハウジング１１４と、ハウジング１１４に配置される固定接点６１１と、固定接点６１１に接離可能に配置される可動接点１１２と、ハウジング１１４の一側に配置され、可動接点１１２を駆動する駆動部１２０とを含んでもよい。
【００９４】
ハウジング１１４は、内部に収容空間が形成されるように、略直方体状に構成してもよい。
【００９５】
ハウジング１１４には、固定接点６１１が備えられてもよい。
【００９６】
固定接点６１１は、複数で構成してもよい。
【００９７】
固定接点６１１は、ハウジング１１４の一側面部に配置されてもよく、ハウジング１１４の対向する両側面部に配置されてもよい。
【００９８】
固定接点６１１は、可動接点１１２の移動方向に対して垂直方向に配置されてもよい。これにより、可動接点１１２の移動方向の電磁開閉装置６００の外観サイズを小さくすることができる。また、可動接点１１２の繰り返し作用（衝撃）によりハウジング１１４と固定接点６１１との間に遊び（隙間）が生じることを抑制することができる。
【００９９】
また、ハウジング１１４のサイズを増加させることなく、可動接点１１２と接触する固定接点６１１の接点部６１３を長くすることができ、可動接点１１２との接触時の衝撃力を緩和することができる。
【０１００】
固定接点６１１は、ハウジング１１４の内部に配置される接点部６１３と、接点部６１３の一側に延びてハウジング１１４の外部に配置される連結部６１７とを備えてもよい。
【０１０１】
接点部６１３の一端部は、ハウジング１１４の外部に配置され、接点部６１３と連結部６１７との間には、折曲部６１５が備えられてもよい。
【０１０２】
折曲部６１５は、接点部６１３の端部からハウジング１１４の下方に折り曲げられるように形成されてもよい。
【０１０３】
連結部６１７は、折曲部６１５の端部からハウジング１１４の外側に折り曲げられて延びるように形成されてもよい。
【０１０４】
ハウジング１１４の内部には、可動接点１１２が固定接点６１１に接離可能に配置されてもよい。
【０１０５】
可動接点１１２は、固定接点６１１に比べて、駆動部１２０に近い位置に配置されてもよい。
【０１０６】
駆動部１２０は、コイル１２１、ヨークプレート１２７、固定コア１２２、可動コア１２３、作用ロッド１２５、及びばね１２６を備えて構成してもよい。
【０１０７】
ここで、駆動部１２０は、コイル１２１への電源供給時、可動接点１１２が固定接点６１１に接触するように、可動接点１１２を駆動する。
【０１０８】
より具体的には、コイル１２１への電源遮断時、可動コア１２３は、ばね１２６の付勢力により固定コア１２２から離隔し、作用ロッド１２５は、可動接点１１２が固定接点６１１から分離されて所定距離離隔できる程度の長さを有するように構成してもよい。
【０１０９】
作用ロッド１２５には、可動接点１１２を固定接点６１１側に付勢する接圧ばね２２３が備えられてもよい。これにより、可動接点１１２と固定接点６１１との接触時、可動接点１１２が所定の接圧力で固定接点６１１に接触することにより、接触状態を安定に維持することができる。
【０１１０】
例えば、接圧ばね２２３は、可動接点１１２の一側、より具体的には、駆動部１２０側に配置されてもよい。
【０１１１】
このような構成により、コイル１２１に電源が供給されると、可動コア１２３は固定コア１２２側に移動する。可動コア１２３の移動と同時に可動接点１１２が移動し、可動接点１１２が固定接点６１１に接触する。これにより、負荷が電源に接続される。
【０１１２】
一方、コイル１２１への電源供給が停止されると、前記圧縮されたばね１２６の付勢力により、可動コア１２３が固定コア１２２から離隔する。これにより、可動接点１１２が固定接点６１１から分離される。
【０１１３】
以上、本発明は特定の実施形態について図示及び説明された。しかしながら、本発明は、その思想又は本質的な特徴から外れない範囲内で様々に実施することができ、上記実施形態の詳細な説明の内容により限定されるものではない。
【０１１４】
なお、上記詳細な説明に示していない実施形態であっても、添付された特許請求の範囲に定義された技術思想の範囲内で広く解釈されるべきである。また、特許請求の範囲の技術的範囲とその均等範囲内に含まれるあらゆる変更及び変形は、添付された特許請求の範囲に含まれるべきである。
【符号の説明】
【０１１５】
１１２    可動接点
１１４    ハウジング
１２０    駆動部
１２１    コイル
１２２    固定コア
１２３    可動コア
１２５    作用ロッド
１２６    ばね
２００、４００、６００    電磁開閉装置
２１１、４１１、６１１    固定接点
２１３、４１３、６１３    接点部
２１５、４１５、６１７    連結部
６１５    折曲部
【図１】
2012089485.tif 000003
【図２】
2012089485.tif 000004
【図３】
2012089485.tif 000005
【図４】
2012089485.tif 000006
【図５】
2012089485.tif 000007
【図６】
2012089485.tif 000008
【図７】
2012089485.tif 000009
【図８】
2012089485.tif 000010
【図９】
2012089485.tif 000011